(57)【特許請求の範囲】
【請求項１】
傷病者の口の周囲に被せられる柔軟なシートからなるカバー１と、
前記カバー１に設けた取付孔に貫通して取り付けられ、救助者から傷病者に向かう空気を通過させるマウスピース２とを有し、
前記マウスピース２は、救助者の口に挿入される上半部３と、傷病者の口に挿入される下半部４とを有し、
前記上半部３と下半部４は、互いに突き合わされるフランジ面５ａ、６ａと、互いに嵌合する嵌合周面７，８とを有し、
前記上半部３の嵌合周面７はフランジ面５ａから下方に延び、前記下半部４の嵌合周面８はフランジ面６ａから下方に延びており、
前記カバー１の取付孔１ａの周縁部が上半部３および下半部４の前記フランジ面５ａ，６ａ間と前記嵌合周面７，８におけるフランジ側に連なる根元部７ｂ、８ｂ間とに挟持されており、
前記上半部３および下半部４の嵌合周面７，８の根元部７ｂ、８ｂの全周に沿って、互いに噛み合う２つの段部９、１０が形成され、
前記下半部４の内周面における上下方向中間部には下側が拡径するように凹入した段差部８ａが形成され、前記上半部３の外周面における下端には外向きの係止部７ａが形成され、前記下半部４内へ前記上半部３を嵌合させた状態で前記係止部７ａが前記段差部８ａに係合する人工呼吸用補助具。
【発明の詳細な説明】
【０００１】
【発明の属する技術分野】
本発明は、人工呼吸法として一般的に行われている呼気吹き込み人工呼吸（マウスツーマウス）を行うに際し、人工呼吸を施す救助者の口が傷病者の口に接触することなく行える人工呼吸用補助具に関するものである。
【０００２】
【従来の技術】
意識障害、呼吸停止、心停止またはこれに近い状態に陥った傷病者を救助するための救急蘇生法の一種として、心肺蘇生法が効果的であることが知られている。この心肺蘇生法は、傷病者の鼻孔を塞いで、救助者の口を傷病者の口に当て、空気が漏れないように傷病者の気道内に息を直接吹き込んでマウスツーマウス人工呼吸を行い、かつ、この人工呼吸と心臓マッサージとを交互に行うものである。
【０００３】
ところで、上述のマウスツーマウス人工呼吸法は、救助者の口が傷病者の口に直接触れるため、病気に感染する恐れがある。そこで、口の周辺を覆う柔軟なカバーの中央部に呼気吹き込み口を設けた人工呼吸用補助具が提案されている。
図９は、そのような提案されている人工呼吸用補助具の１つを示す断面図である。この人工呼吸用補助具では、傷病者の口の周囲に被せられるカバー３１に設けられた取付孔３１ａにマウスピース３２が取り付けられている。マウスピース３２は、救助者から傷病者に向かう空気を通過させる部材であり、救助者の口に挿入される筒状の上半部３３と、傷病者の口に挿入される筒状の下半部３４と、板状の弁体３５とを有し、上半部３３と下半部３４との間で前記カバー３１の取付孔３１ａ周縁部が挟持されている。弁体３５は、その一端部に設けられた孔３５ａを、マウスピース上半部３３の下端に設けられた突起３６に嵌合させ、この突起３６をマウスピース下半部３４に設けられた支持片３７の嵌合孔３８に嵌合させることで、上半部３３と下半部３４の間に支持されている。弁体３５の周辺部はマウスピース上半部３３の下端面に着座しており、空気Ａをマウスピース３２の上方から下方へのみ通過可能としている。
【０００４】
【発明が解決しようとする課題】
しかし、上記構成の人工呼吸用補助具では、カバー３１の取付孔３１ａの周縁部を、マウスピース上半部３３の外周面に設けたフランジ３３ａの平坦な下面と、マウスピース下半部３４のフランジ３４ａの平坦な上端面とで挟むようにしているので、カバー３１を挟み付ける力が十分でなく、カバー３１に外部から大きな引張力が付加されると、カバー３１がマウスピース３２から外れたり、カバー取付孔３１ａの周縁部における外れた部分の近傍から局部的な破れが生じ易いという問題点を有する。
【０００５】
そこで、本発明は、カバーに外部から大きな引張力が付加されてもカバーがマウスピースから外れたり、カバーに局部的な破れが生じるの防止することのできる人工呼吸用補助具を提供することを目的とするものである。
【０００６】
【課題を解決するための手段】
上記した目的を達成するために、本発明に係る人工呼吸用補助具は、傷病者の口の周囲に被せられる柔軟なシートからなるカバーと、前記カバーに設けた取付孔に貫通して取り付けられ、救助者から傷病者に向かう空気を通過させるマウスピースとを有し、前記マウスピースは、救助者の口に挿入される上半部と、傷病者の口に挿入される下半部とを有し、前記上半部と下半部は、互いに嵌合する嵌合周面と、互いに突き合わされるフランジ面とを有し、前記カバーの取付孔の周縁部が前記フランジ面と嵌合周面の根元部との間に挟持されており、前記上半部および下半部の嵌合周面の根元部に、互いに噛み合う段部が形成されている。
【０００７】
前記人工呼吸用補助具によれば、マウスピースの上半部および下半部の段部によりカバー取付孔の周縁部を噛み込むことで、上半部と下半部の間にカバーを挟持するようにしているので、カバーが段部の角部で折り曲げられて段部間で強く挟まれる結果、上半部と下半部間で強固に保持される。したがって、カバーに外部から大きな引張力が作用してもカバーがマウスピースから外れたり、カバーに局部的な破れが生じるのを防止することができる。
【０００８】
本発明の好ましい実施形態では、前記段部が前記根元部の全周に沿って２つ設けられている。
【０００９】
このように構成した場合には、カバーにおける取付孔の周縁部が２つの段部により全周にわたって２か所で折り曲げられるから、カバーを挟持する力がより強くなるので、カバーをより確実に挟持することができる。
【００１０】
【発明の実施の形態】
本発明の好ましい実施形態について図面を参照しながら詳述する。
図１（Ａ）および図２は本発明の第１実施形態である人工呼吸用補助具の正面図および使用状態説明図であり、図１（Ｂ）はそのカバーの平面図である。この人工呼吸用補助具は、図１に示すように、柔軟な樹脂製の透明シートからなるカバー１と、このカバー１の中央部に取り付けられたマウスピース２とを備えている。マウスピース２は、カバー１に設けた図１（Ｂ）の取付孔１ａに貫通して取り付けられている。カバー１は図２に示す傷病者の口２７の周囲に被せられる。マウスピース２は、図３の救助者から傷病者に向かう空気Ａを通過させ，その逆方向への空気の通過を阻止するもので、救助者の口に挿入される上半部３と、傷病者の口２７に挿入される下半部４とを有する。
【００１１】
マウスピース２の上半部３および下半部４は樹脂製であり、共に横断面形が角部に丸味を持つ方形の筒体とされている。図３（Ａ）は、図１（Ａ）におけるIII −III 線断面図を示す。すなわち、図３（Ａ）は、マウスピース２の幅広側から見た正面断面図を示す。また、図４は、マウスピース２の幅狭側から見た側面断面図を示す。図３に示すように、マウスピース上半部３は、マウスピース下半部４の内側に嵌合可能であり、その胴部の上下方向中間部分の外周にフランジ５が一体に形成されている。フランジ５の形成部から下端までの外周面はマウスピース下半部４に嵌合する嵌合周面７とされ、下端に向かって徐々に縮径して横断面形を小さくしてある。また、フランジ５の下向き面であるフランジ面５ａと、前記嵌合周面７の根元部７ｂとの間には、図３（Ｂ）に拡大して示すように、前記根元部７ｂの全周に沿って延びる２つの段部９，９が形成されている。
【００１２】
マウスピース下半部４は、上端部に外向きとしたフランジ６が形成されており、フランジ６形成部から胴部の上下方向中間部分までの内周面はマウスピース上半部３の前記嵌合周面７に嵌合する嵌合周面８とされ、前記中間部分に向けて縮径させてある。また、フランジ６の上向き面であるフランジ面６ａと、嵌合周面８の根元部８ｂとの間にも、前記根元部８ｂの全周に沿って延びる２つの段部１０が形成されている。上半部３の嵌合周面７を下半部４の嵌合周面８に嵌合させた状態で、上半部３のフランジ面５ａと下半部４のフランジ面６ａは互いに突き合わされ、上半部３の段部９と下半部４の段部１０は互いに噛み合う。カバー１の取付孔１ａの周縁部は、上半部３および下半部４のフランジ面５ａ，６ａと、嵌合周面７，８の根元部７ｂ、８ｂとの間に挟持される。この挟持状態において、カバー取付孔１ａの周縁部は、上半部３および下半部４の二重の段部９，１０に、全周にわたって２か所で折り曲げられて噛み込む。
【００１３】
さらに、図３（Ａ）に示すマウスピース下半部４の内周面における上下方向中間部には、下方側が拡径するように凹入した段差部８ａが形成されている。一方、マウスピース上半部３の外周面における下端には、外向きの係止部７ａが形成され、下半部４内へ上半部３を嵌合させた状態で、上半部３の前記係止部７ａが下半部４の前記段差部８ａに係合することで、下半部４への上半部３の嵌合を確実に行い、下半部４から上半部３が脱落するのを防止している。
【００１４】
マウスピース上半部３の下端内周面の一側部には、下向きに突出する突起１１が一体に形成されており、方形の板状体とした軟質の樹脂からなる弁体１２の一端部に形成された孔１３に、前記突起１１が嵌合される。さらに、マウスピース下半部４の胴部内周面における上下方向中間部分には、対向する壁面間に跨がる支持片１４が一体に形成され、この支持片１４の嵌合孔１５に前記突起１１を嵌合させることで、弁体１２の一端部がマウスピース上半部３の下端とマウスピース下半部４の支持片１４とで挟まれて支持される。この支持状態のもとで、弁体１２の周辺部はマウスピース上半部３の下端面３ａに着座している。これにより、マウスピース上半部３の下端開口が弁体１２で開閉可能に閉鎖され、上方から下方への空気Ａの通過のみが可能なように弁体１２が逆止弁として開弁動作する。  図５（Ａ）は前記マウスピース２の平面図を示し、図５（Ｂ）は同マウスピース２の底面図を示す。
【００１５】
この人工呼吸用補助具の使用においては、図２のように、マウスピース２における下半部４を傷病者の口２７にくわえさせると共に、カバー１で傷病者の鼻２８、顎２９を含む顔の大部分を覆い、上半部３を救助者がくわえて、息を吹き込む。これにより、前記弁体１２が開いて救助者の息を傷病者の気道内に送り込むことができ、救助者の口が傷病者の口２７に直接触れることがない。
【００１６】
特に、この人工呼吸用補助具では、図３（Ｂ）に示すマウスピース２の上半部３および下半部４の段部９，１０によりカバー取付孔１ａの周縁部を噛み合わせることで、上半部３と下半部４の間にカバー１を挟持するようにしているので、カバー１が段部９，１０の角部で折り曲げられて、段部９，１０間で強く挟まれる。その結果、カバー１に外部から大きな引張力が付加されても、カバー１がマウスピース２から外れたり、カバー１の取付孔１ａの周縁部における外れた部分から局部的な破れが生じるのを防止することができる。
【００１７】
すなわち、図１（Ｂ）において、カバー１にマウスピース２を嵌め込むと、取付孔１ａは破線で示すように変形し、取付孔１ａの周縁部全体がマウスピース２の段部９，１０（図３（Ａ），（Ｂ））間に噛み込む。この状態で、例えば、カバー１にマウスピース２の幅広側から引張力Ｆが加えられたとき、カバー１の取付孔１ａにおける幅広側１ａａのみでなく、幅狭側１ａｂも段部９，１０に噛み込んでいて、前記引張力Ｆに抗するから、取付孔１ａの周縁部がマウスピース２から外れにくくなる。さらに、この実施形態では、前記段部９，１０をそれぞれ２段階としているので、カバー１が、段部９，１０によって、環状に延びる２か所で折り曲げられるから、カバー１を挟持する力がさらに強くなり、より確実にカバー１を挟持することができる。
【００１８】
図６〜図８は、本発明の第２実施形態を示す。図６はマウスピース２の正面断面図を、図７はマウスピース２の側面断面図を、それぞれ示す。また、図８（Ａ）はマウスピース２の平面図を、図８（Ｂ）は同マウスピース２の底面図を、それぞれ示す。
【００１９】
この実施形態の人工呼吸用補助具では、図１〜図５に示した第１実施形態において、弁体１２をマウスピース上半部３の下端部中央で支持している。すなわち、図６に示すマウスピース上半部３の下端部内周面には、図８（Ａ）に示すマウスピース２の長手方向と直交する横方向に向けて延び対向する幅広側の壁面間に跨がる１対の横架片２０ａ，２０ａと、これら両横架片部２０ａ間に跨がる支持片２０ｂとからなる平面視概形がＨ形の支持体２０が一体に形成され、その支持片２０ｂの下面中央に、図６に示す下端を拡径した抜け止め頭部２１ａとした係合ピン２１が一体形成されている。この係合ピン２１に方形板状の弁体１２の中央部に形成された孔２３を拡大するように弾性変形させながら嵌合させることにより、弁体１２がマウスピース上半部３の下端に支持される。弁体１２の周辺部全体はマウスピース上半部３の下端面３ａに着座させられる。
【００２０】
なお、弁体１２の着座を確実にするために、図７および図８（Ｂ）のように、マウスピース上半部３の下端の幅広側部分には、弁体１２を位置決めする一対の位置決め片２４が下方に突出して形成されている。
また、マウスピース２の上半部３と下半部４の一体化を確実にするため、図６のように、下半部４の嵌合周面８の対向する長手方向両端部分には係合爪２５が一体形成されると共に、上半部３の嵌合周面７の前記係合爪２５に対向する部分には、係合爪２５に係合する係合凹部２６が形成されている。これにより、下半部３内に上半部４を嵌合させた状態で、上半部３の係合凹部２６に下半部４の係合爪２５が係合することで、下半部４への上半部３の嵌合が確実に行われ、下半部４から上半部３が脱落するのを防止できる。その他の構成は第１実施形態の場合と同様である。
【００２１】
【発明の効果】
以上のように、本発明の人工呼吸用補助具によれば、マウスピースの上半部および下半部の段部によりカバー取付孔の周縁部を噛み込むことで、上半部と下半部の間にカバーを挟持するようにしているので、カバーが段部の角部で折り曲げられて段部間で強く挟まれる結果、上半部と下半部間で強固に保持される。したがって、カバーに外部から大きな引張力が作用してもカバーがマウスピースから外れたり、カバーに局部的な破れが生じるのを防止することができる。
【図面の簡単な説明】
【図１】（Ａ）は本発明の第１実施形態に係る人工呼吸用補助具の正面図、（Ｂ）は同人工呼吸用補助具のカバーを示す平面図である。
【図２】同人工呼吸用補助具の使用状態説明図である。
【図３】（Ａ）は同人工呼吸用補助具のマウスピースを示す正面断面図、（Ｂ）はその要部拡大断面図である。
【図４】同人工呼吸用補助具のマウスピースを示す側面断面図である。
【図５】（Ａ）は同人工呼吸用補助具のマウスピースの平面図、（Ｂ）は同マウスピースの底面図である。
【図６】本発明の第２実施形態に係る人工呼吸用補助具のマウスピースを示す正面断面図である。
【図７】同人工呼吸用補助具のマウスピースを示す側面断面図である。
【図８】（Ａ）は同人工呼吸用補助具のマウスピースの平面図、（Ｂ）は同マウスピースの底面図である。
【図９】従来例の正面断面図である。
【符号の説明】
１…カバー、１ａ…カバーの取付孔、２…マウスピース、３…マウスピース上半部、４…マウスピース下半部、５ａ…上半部のフランジ面、６ａ…下半部のフランジ面、７…上半部の嵌合周面、８…下半部の嵌合周面、９…上半部の段部、１０…下半部の段部
【図１】
0003860772.tif 000002
【図２】
0003860772.tif 000003
【図３】
0003860772.tif 000004
【図４】
0003860772.tif 000005
【図５】
0003860772.tif 000006
【図６】
0003860772.tif 000007
【図７】
0003860772.tif 000008
【図８】
0003860772.tif 000009
【図９】
0003860772.tif 000010